(57)【特許請求の範囲】
【請求項１】
２つの端面を有する複数の板状パネルどうしを、連結部材を利用して組立ててなる組立て式構造体であって、
前記２つの端面の夫々には、前記板状の主面に沿って外側に突出した凸部が設けられた複数の凸部領域と、前記凸部が設けられていない複数の空間領域とが、前記端面の長手方向に同じ数だけ交互に並べられ、
前記複数の凸部領域及び前記複数の空間領域について、前記長手方向の寸法が、前記長手方向の最も中央寄りにある前記凸部領域と前記空間領域との境目を中心に対称とされており、
前記凸部は、前記端面の短手方向の一方の領域に配置された一方凸部と、他方の領域に配置された他方凸部とからなり、前記一方凸部と他方凸部とは異なる前記凸部領域に配置され、
前記一方凸部には前記他方の領域側に臨んだ溝部が、前記他方凸部には前記一方の領域側に臨んだ溝部が、夫々、前記凸部が突出する方向の先端部と根元部を除くようにして前記端面の長手方向に沿って形成され、
前記連結部材は、前記複数の板状パネルのうち、一方のパネルの前記一方凸部及び前記他方凸部に形成された前記溝部の開口と、前記一方のパネルに連結しようとする他方のパネルの前記一方凸部及び前記他方凸部に形成された前記溝部の開口とを対向させた状態における、これら溝部で画される空間に対応した太さを有する棒状体である
ことを特徴とする組立て式構造体。
【請求項２】
前記板状パネルの前記２つの端面の一方と他方とは、その端面の長手方向を軸周りに１８０度回転させて視認した際、同様の構成とされている
ことを特徴とする請求項１に記載の組立て式構造体。
【発明の詳細な説明】
【技術分野】
【０００１】
本発明は、複数の板状パネルどうしを、連結部材を利用して組立ててなる家具、展示用什器などの組立て式構造体に関する。
【背景技術】
【０００２】
本棚やテーブル台などの家具類、又は、展示用の棚やパネル掛けなどの展示用什器は、部屋・会場のレイアウトや展示用品などに合わせて、自由に組立てられる組立て式のものを使用されることが多い。
このような組立て式構造体の場合、一般的に、形状・構造が異なるいくつもの板材や金具を用いて組み立てられている（例えば、特許文献１参照）。
そうすると、板材や金具の種類が多数あるため、組み立てが面倒であり、金具などの部品が紛失してしまうこともあった。また、例えば展示用什器の場合は、組み立てられた構造体は、展示が終わると解体され、それを展示会場とは別の場所で保管するといった運用がなされるため、部品の管理が大変であるという問題もある。
【０００３】
このため、組立て式構造体の場合、部品の種類を少なくし、容易に組み立てられることが望ましい。この点、従来は例えば図１０に示される家具１が存在した（特許文献２参照）。図１０の家具１は、側板に上下に貫通する孔２を有する角筒体４を重ね、その孔２に板状の連結部材６を挿入して、複数の角筒体４を連結する家具である。
【先行技術文献】
【特許文献】
【０００４】
【特許文献１】特開２００２−３４８９９５号公報
【特許文献２】実用新案登録第３１３６２３８号公報
【発明の概要】
【発明が解決しようとする課題】
【０００５】
ところで、図１０の家具は、予め決められた大きさの家具類や展示用什器を組み立てるには適当かも知れないが、家具類や展示用什器の大きさを自由に設定することができない。すなわち、角筒体４を連結するための連結部材６の長さが予め決められているため、連結される角筒体４の数も決められてしまう。勿論、様々な長さの連結部材６を用意しておけばよいが、それでは、部品の種類が増加してしまう。また、例えば展示会場で大きな棚を組み立てるような場合、解体後において、そのような長い連結部材を保管するスペースが大きくなってしまうし、そもそも、角筒体４を保管すること自体、大きなスペースを必要とする。
【０００６】
本発明は、部品の種類を少なくすることで組み立てや保管を容易にし、さらに、大きさを自由に変えられ、かつ、解体した後の保管スペースを小さくすることができる組立て式構造体を提供することを目的とする。
【課題を解決するための手段】
【０００７】
上述の目的は、請求項１の発明によれば、２つの端面を有する複数の板状パネルどうしを、連結部材を利用して組立ててなる組立て式構造体であって、前記２つの端面の夫々には、前記板状の主面に沿って外側に突出した凸部が設けられた複数の凸部領域と、前記凸部が設けられていない複数の空間領域とが、前記端面の長手方向に同じ数だけ交互に並べられ、前記複数の凸部領域及び前記複数の空間領域について、前記長手方向の寸法が、前記長手方向の最も中央寄りにある前記凸部領域と前記空間領域との境目を中心に対称とされており、前記凸部は、前記端面の短手方向の一方の領域に配置された一方凸部と、他方の領域に配置された他方凸部とからなり、前記一方凸部と他方凸部とは異なる前記凸部領域に配置され、前記一方凸部には前記他方の領域側に臨んだ溝部が、前記他方凸部には前記一方の領域側に臨んだ溝部が、夫々、前記凸部が突出する方向の先端部と根元部を除くようにして前記端面の長手方向に沿って形成され、前記連結部材は、前記複数の板状パネルのうち、一方のパネルの前記一方凸部及び前記他方凸部に形成された前記溝部の開口と、前記一方のパネルに連結しようとする他方のパネルの前記一方凸部及び前記他方凸部に形成された前記溝部の開口とを対向させた状態における、これら溝部で画される空間に対応した太さを有する棒状体である、組立て構造体により達成される。
【０００８】
請求項１の構成によれば、板状パネルの端面には、板状の主面に沿って外側に突出した凸部が設けられた複数の凸部領域と、凸部が設けられていない複数の空間領域とが、端面の長手方向に同じ数だけ交互に並べられているため、この端部領域は凸凹が連続して並んだような形態となっている。ここで、複数の凸部領域及び複数の空間領域について、端面の長手方向の寸法が、最も中央寄りにある凸部領域と空間領域との境目を中心に対称とされている。このため、例えば、第１及び第２のパネルからなる２枚のパネルを用意し、これらを同じ方向に並べた後、第２のパネルのみを端面に対する垂直方向を軸周りに１８０度回転させ、そして、互いの主面が垂直となるように端面どうしを沿わせると、第１のパネルの空間領域に第２のパネルの凸部が、第２のパネルの空間領域に第１のパネルの凸部がそれぞれ挿入しながら、第１のパネルと第２のパネルとが組まれることになる。したがって、２枚のパネルを垂直に組んだ際、互いの凸部と空間領域とが係合して、端面の長手方向への移動、及び相手方のパネル側への移動を規制することができる。
【０００９】
さらに、凸部は、端面の短手方向の一方の領域に配置された一方凸部と、他方の領域に配置された他方凸部とからなり、この一方凸部と他方凸部とは異なる凸部領域に配置されている。このため、端面に凸部が設けられていても、２枚のパネルの端面どうしを並べて突き合わせることができる。例えば、上述のように第１及び第２のパネルを垂直に組んだ状態で、さらに３枚目である第３のパネルを用意し、この第３のパネルを例えば第１のパネルと同じ方向となるようにした状態から、その端面の長手方向を軸周りに１８０度回転させる。そうすると、第３のパネルの端面を第１のパネルの端面に突き合わせることができる。それと同時に、第３のパネルは、第１のパネルと垂直状態にある第２のパネルに対しては垂直に組まれることになる。そして、第３のパネルの凸部は第２のパネルの空間領域に挿入され、上述の第１及び第２のパネルどうしの関係と同様にして、第３のパネルは端面の長手方向への移動が規制され、それと共に、第２及び第３のパネルは互いに相手方のパネル側への移動が規制されることになる。
【００１０】
ここで、一方凸部には他方の領域側に臨んだ溝部が、他方凸部には一方の領域側に臨んだ溝部が、それぞれ端面の長手方向に沿って形成され、この溝部は、凸部が突出する方向の先端部と根元部を除く中央領域に形成されている。そうすると、例えば、上述した第１及び第３のパネルの互いの端面を突き合わせて並べると、例えば第1のパネルの一方及び他方凸部の溝部の開口と第３のパネルの一方及び他方凸部の溝部の開口とが対向する状態になる。ところで、本発明によれば、連結部材は、複数の板状パネルのうち、一方のパネルの一方凸部及び他方凸部に形成された溝部の開口と、一方のパネルに連結しようとする他方のパネルの一方凸部及び他方凸部に形成された溝部の開口とを対向させた状態における、これら溝部で画される空間に対応した太さを有する棒状体である。そこで、この棒状体を、上述した第1のパネルの溝部および第３のパネルの溝部で画される空間に差し込めば、その溝部の内壁が棒状体と係合し、第1及び第３のパネルは並べた方向に移動することが出来なくなる。
【００１１】
そして、板状パネルは以上のような構成であるため、例えば、上述のように第１ないし第３のパネルを組んだ状態で、さらに４枚目である第４のパネルを用意し、この第４のパネルの主面を、第１及び第３のパネルの主面に対して垂直に配置すると共に、その端面を第２のパネルの端面に突き合せて配置することもできる。そうすると、第４のパネルは、上述した第１ないし第３のパネルの関係と同様にして、その動きが規制される。このようにして、第１ないし第４のパネルを組み立てると、溝部に差し込まれる棒状体の助力もあって、互いの動きを規制し合って、いずれの方向にも容易に外れることがなくなる。
【００１２】
このように、請求項１の構成によれば、同種類の複数のパネルを用意して、互いの凸部と空間領域とを係合させたり、互いの一方凸部と他方凸部を連結部材に係合させたりして、組み立てることができるため、部品の種類を低減することができる。
さらに、請求項１の板状パネルは、２つの端面の夫々が、上述した構成とされているため、何枚ものパネルを連続して、上述のように連結していくことができる。
【００１３】
請求項２の発明は、請求項１の構成において、前記板状パネルの前記２つの端面の一方と他方とは、その端面の長手方向を軸周りに１８０度回転させて視認した際、同様の構成とされていることを特徴とする。このため、板状パネルの方向性に留意することなく、容易に構造体を組み立てることができる。
【発明の効果】
【００１４】
以上、本発明によれば、部品の種類を少なくすることで組み立てと保管を容易にし、さらに、大きさを自由に変えられ、かつ、解体した後の保管スペースを小さくすることができる組立て式構造体を提供することができる。
【図面の簡単な説明】
【００１５】
【図１】本発明の実施形態に係る組立て式構造体の例示としての棚の斜視図。
【図２】図１の棚の部材である板状パネルの斜視図であり、一点鎖線で囲った図は凸部の部分拡大図。
【図３】図２の板状パネルの側面図。
【図４】図１の棚の部材である連結部材の斜視図。
【図５】図２の板状パネルの第１の変形例に係る部分平面図。
【図６】図２の凸部の変形例に係る斜視図。
【図７】図２の板状パネルの第２の変形例に係る概略斜視図。
【図８】図１の棚を構成する複数の板状パネルの端部領域を集中させようとしている図。
【図９】図１の棚を構成する複数の板状パネルを集中させ、そこに連結部材を組み込もうとしている図。
【図１０】従来の家具の斜視図。
【発明を実施するための形態】
【００１６】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１７】
図１は、本発明の実施形態にかかる組立て構造体の例示としての棚１０の斜視図であり、図２は図１の棚１０の部材である板状パネル１２の斜視図、図３は図２の板状パネル１２の側面図、図４は図１の棚１０の部材である連結部材４０の斜視図である。
この棚１０は、家庭用の棚や展示会場で作品を飾るための家具類又は展示用什器であり、第１ないし第６のパネル１２−１，１２−２，１２−３，１２−４，１２−５，１２−６を含む複数の板状パネル１２どうしの端部領域（図２の端面１２ａ，１２ｂ及び凸部２０を含む先端の領域）を、連結部材４０を利用して連結し、互いの主面を垂直に組み立てるようになっている。
この棚１０の組立て方等については後で詳細に説明するが、理解の便宜のため、先ず、その概略を説明する。
【００１８】
〔概略説明〕
図１の棚１０の部材である第１ないし第４のパネル１２−１〜１２−４を、互いの主面が垂直となるように組み立てるには、図８及び図９に示すように、その端面から突出する複数の凸部２０を、この凸部２０が設けられていない相手方の空間領域Ｖに差し入れる。ここで、主面が並んだパネル、例えば図８の第１のパネル１２−１と第３のパネル１２−３については、双方とも凸部２０は板幅Ｗ方向の同じ位置にあるが、その凸部２０は板状の厚みＤの片側にのみ配置されている。そこで、並べようとする相手方のパネルの凸部２０が配置されていない領域Ｅ１・Ｅ２に、その凸部２０の先端を突き当てるように差し入れる。このようにして、４枚のパネル１２−１〜１２−４の凸部２０を図９のように集中させる。そして、このように凸部２０を集中させた集結領域に、側面（図９の場合は上側）から見て、板幅Ｗの方向（図９のＸ方向）に沿って連続して貫通した孔が生じるように、凸部２０には溝部３０が設けられている。そこで、この複数の溝部３０で形成された集結領域の貫通孔（図９のＨＯ）に棒状の連結部材４０を挿入して、４枚のパネル１２−１〜１２−４を連結させる。
【００１９】
〔棚１０の構造〕
次に、この棚１０の構造について説明する。
棚１０は、図１に示すように、複数の板状パネル１２どうしを、互いの主面が垂直となるように、各端部領域を連結したものであり、４枚のパネル１２−３，１２−４，１２−５，１２−６で一つの枠状体ＦＲを構成し、その枠状体ＦＲを格子状に縦横に配列して棚としている。
なお、枠状体ＦＲの内側には本等の物品が載置され、その物品が落下しないように、枠状体ＦＲの裏側には板材９が組まれているが、板材９は棚１０を構造的に支持するためのものではない。
また、この棚１０は絵画や写真などの薄板状ないし紙状の展示用品（図１の平行斜線で示す部分）を飾ることができるようにビス等のネジ類４２が差し込まれているが（この点については後で詳細に説明する）、このネジ類４２も棚１０を構造的に支持するためのものではない。
すなわち、本実施形態の棚１０は、複数の板状パネル１２と、複数の連結部材４０のみで構造的に支持されており、かつ、構造的に支持するための各板状パネル１２は同種類であり、各連結部材４０も同じ種類である。
【００２０】
以下、一枚の板状パネル１２について図２及び図３を用いて説明する。
板状パネル１２は、その材質を問わない。また、板状パネル１２は、主面の幅Ｗに対して厚みＤが小さな板状であって、少なくとも２つの端面１２ａ，１２ｂを有すれば、その形状も問われない。
本実施形態の場合、板状パネル１２は、木材、金属或いは木材と金属の組み合わせにより形成されており、全体が所定の厚みＤを有する矩形状とされている。具体的には、板状パネル１２の主面（図２の上下面）１２ｃの幅Ｗは、一般的な本棚の寸法を考慮して３０ｃｍ程度とされている。また、主面１２ｃは平坦であって一方向に長く、その長手方向（図２のＹ方向）に２つの互いに平行な端面１２ａ，１２ｂを有している。
端面１２ａ，１２ｂは凸部２０を除いて平坦とされており、端面１２ａと端面１２ｂとの構成は、凸部２０の向きを除き同様とされている。以下、特段の言及がない限り、端面１２ａのみの構成について説明している。
【００２１】
端面１２ａには、板状の主面１２ｃに沿って（本実施形態の場合、図２のＹ方向の外側に）突出した複数の凸部２０が設けられている。この凸部２０は複数の板状パネルを連結するための係止部であり、突出部または突片または舌片と言うこともできる。また、この凸部２０には棚に載置した物品の荷重がかかるため、複数個にして、その荷重を分散できるようにしている。
なお、凸部２０は端面１２ａと一体に形成されてもよいし、或いは、端面１２ａに対して別部材として接着剤等で接合してもよい。また、凸部２０を金属製にして、これを木製の端面１２ａ側に接続してもよい。但し、凸部２０は図のように板状本体の主面や側面の延長線上から飛び出さないことが好ましい。
【００２２】
そして、端面１２ａには、凸部２０が設けられている複数の凸部領域Ｔと、凸部２０が設けられていない複数の空間領域Ｖとが、端面１２ａの長手方向（板状パネルの幅Ｗ方向であり、図２のＸ方向）に同じ数だけ交互に並べられている。なお、ここにいう凸部領域Ｔ及び空間領域Ｖは、端面１２ａの長手方向に関しての領域であり、端面１２ａの短手方向（板状パネルの厚みＤ方向であり、図２のＺ方向）の一部にでも凸部２０があれば、その凸部２０が存在する端面１２ａの長手方向の領域は凸部領域Ｔである。
そして、凸部領域Ｔと空間領域Ｖとは同じ数だけ一列に並べられ、端面１２ａの長手方向Ｘの一端側に凸部領域Ｔが、他端側に空間領域Ｖが配置されるようになっている。
【００２３】
ここで、複数の凸部領域Ｔ及び複数の空間領域Ｖについては、端面１２ａの長手方向Ｘの寸法が、当該長手方向Ｘの最も中央寄りにある凸部領域Ｔ１と空間領域V１との境目Ｐを中心に対称とされている。具体的には、図２の凸部領域ＴはＴ１とＴ２の２つ、空間領域ＶはV１とＶ２の２つあり、Ｔ１とV１との当該長手方向Ｘの寸法が同様であり、Ｔ２とV２との当該長手方向Ｘの寸法が同様とされている。さらに、図２の場合、全ての領域Ｔ１，Ｔ２，Ｖ１，Ｖ２の長手方向Ｘの寸法は同様である。
【００２４】
なお、凸部領域Ｔ及び空間領域Ｖは、端面の長手方向Ｘに沿って同じ数だけ並べられ、かつ、当該長手方向Ｘの寸法について、最も中央寄りにある凸部領域と空間領域との境界を中心に対称であれば、例えば図２の板状パネル１２の第１の変形例である図５の板状パネル４９の部分平面図に示すように、その数は３つずつ以上であっても構わない。また、例えば図５のＴ１＝Ｖ１、Ｔ２＝Ｖ２、Ｔ３＝Ｖ３、Ｔ４＝Ｖ４（Ｔ１，Ｔ２，Ｔ３，Ｔ４は凸部領域に関する端面の長手方向の寸法、Ｖ１，Ｖ２，Ｖ３，Ｖ４は空間領域に関する端面の長手方向の寸法）のように、各凸部領域及び空間領域の寸法は区々であっても構わない。
【００２５】
さらに、図２及び図３に示すように、凸部２０は、板状の厚みＤの片側に寄せて配置されており、端面１２ａの短手方向Ｚの一方の領域Ｅ１に配置された一方凸部２２と、他方の領域Ｅ２に配置された他方凸部２４とからなっている。この一方凸部２２と他方凸部２４とは、異なる凸部領域Ｔに配置され、同じ凸部領域Ｔに、同時に一方凸部２２と他方凸部２４が配置されることはない（つまり、一つの凸部領域Ｔ１，Ｔ２には、一方凸部２２或いは他方凸部２４のいずれか一方のみが配置されている）。
なお、この一方の領域Ｅ１と他方の領域Ｅ２は、同じ凸部領域Ｔにおける互いに相対的な観念であって、一方凸部２２が配置されている領域が一方の領域であれば、その凸部領域Ｔ２について、一方の領域と反対側の領域が他方の領域Ｅ２となる。
このように、一方凸部２２及び他方凸部２４を同じ凸部領域Ｔに配置しないのは、板状パネルの種類を変えることなく、複数の板状パネルどうしの端部領域（図２の端面１２ａ及び凸部２０を含む先端の領域）を集中させて連結するためである。
【００２６】
本実施形態の場合、一方凸部２２と他方凸部２４とは、端面１２ａの長手方向Ｘに沿って交互に配置されている。また、一方凸部２２と他方凸部２４とは、その突出方向に対する垂直方向の寸法である厚みＤ１が同様とされ、厚みＤ１は板状パネル１２の厚みＤの半分以下に設定されている。また、一方凸部２２と他方凸部２４とは、その突出した長さＬも同様であり、図２及び図３の場合、その長さＬを板状パネル１２の厚みＤ（端面１２ａの短手方向Ｚの寸法）と同様にすることで、複数の板状パネルを組立てた後の揺れないしグラつきを防止している。
【００２７】
そして、この凸部２０には溝部３０が形成されている。溝部３０は、複数の板状パネル１２の端部領域を互いに突き当てるように集結させた際、複数の溝部３０が集まって、連結部材４０を挿入するための貫通孔を形成するためのものである。すなわち、後述する図９に示すように、複数の凸部２０が並ぶ方向（図９のＸ方向）に連結部材４０が挿入されて、連結部材４０と係合するようになっている。
具体的には、図２及び図３に示すように、一方凸部２２には他方の領域Ｅ２側に臨んで開口された溝部３１が、他方凸部２４には一方の領域Ｅ１側に臨んで開口された溝部３２が形成されている。本実施形態の場合、凸部２０は、矩形状（先端面は板状本体の端面１２ａと平行であり、側面は板状本体の側面と平行であり、主面は板状本体の主面と平行）の一部に溝部３０を設けたような形状であり、側面視において、略コの字ないしＣの字状とされている。
また、溝部３１と溝部３２とは、凸部２０の突出方向Ｙについて略同じ位置に形成され、このため、図３の側面視において、端面の長手方向に貫通した空間が形成されるようになっている。具体的には、図３の側面視において、溝部３１の開口と溝部３２の開口とが対向するように視認され、溝部３１及び溝部３２で略四角形状の空間が画されるようになっている。この空間が、上述した凸部２０を集中させた集結領域に形成された貫通孔（図９のＨＯ）に対応し、また、連結部材４０の断面形状に対応する。
【００２８】
さらに、この溝部３０（３１，３２）は、凸部２０が突出する方向Ｙの先端部２０ａと根元部２０ｂを除く中央領域に形成されている。このように、先端部２０ａに溝部３０を形成しないのは、その内壁と連結部材４０の外周とを係合させるためである。また、根元部２０ｂに溝部３０を形成しないのは、連結する別の板状パネルの凸部を挿入できるようにするためである。本実施形態の場合、先端部２０ａの突出方向Ｙの寸法Ｌ１と、根元部２０ｂの突出方向Ｙの寸法Ｌ２とは同様とされている。
また、この溝部３０は、端面２０ａの長手方向Ｘに沿って形成されている。すなわち、溝部３０は、凸部２０の全幅（凸部２０のＸ方向の寸法全体であり、凸部領域Ｔの全体）に形成されている。
【００２９】
なお、凸部２０は図２及び図３のような形状に限られるものではなく、例えばこの凸部の変形例である図６に示すように、凸部２０の先端部２０ａの厚みＤ２と根元部２０ｂの厚みＤ３は異なっていてもよい。但し、その際は、一方凸部２２と他方凸部２４の形状自体（方向性は別）は同様であるのが好ましく、また、凸部２０と端面１２ａとの接合強度を考慮して、根元部２０ｂの厚みＤ３が先端部２０ａの厚みＤ２に比べて大きい方が好ましい。
【００３０】
また、本発明の板状パネルは、凸部２０の構成が以上のようになっていれば、端面１２ａと端面１２ｂとは、必ずしも同様な構成でなくてもよい。図７はこれを説明するためのものであり、図２の板状パネル１２の第２の変形例に係る板状パネル５０の概略斜視図である。なお、図７は、図面の煩雑さを回避するため、板状パネルの厚みを図示していない。そして、理解の便宜のため、一方凸部２２（図７の場合、図面の表面に向って開口した溝部を有する凸部を一方凸部としている）には平行斜線を付し、他方の凸部２４には平行斜線を付さず、また、板状パネル５０を矢印方向に反転ないし回転させた状態を破線で表している。この板状パネル５０は、左側の端面１２ａに２つずつ凸部領域Ｔと空間領域Ｖが配置されているのに対して、右側の端面１２ｂには４つずつ凸部領域及び空間領域が配置されている。このようにしても、矢印に示すようパネルを反転ないし回転させて、板状パネルを破線で表した図のように配置することができる。したがって、この破線で示したパネルが板状パネル５０とは別部材のパネル（構成は同じ）であれば、複数の板状パネルの互いの凸部領域と空間領域とを係合させ、かつ、各一方の領域側及び他方の領域側に各一方凸部２２及び他方凸部２４の夫々を突き当てることができる。
【００３１】
この点、図２に示すように、本実施形態の板状パネル１２では、両側の端面の一方１２ａと他方１２ｂとは、その端面の長手方向（図２のＸ方向）を軸周りに１８０度回転させて視認した際、すなわち、図２の矢印Ｓ２の方向に反転させると、同様の構成となるように形成されている。これにより、パネルの方向性を図７のように考慮することなく、簡単に複数の板状パネル１２を連結できる。この点については、後述する棚１０の組立て方法の欄でさらに説明する。
【００３２】
次に、連結部材４０について説明する（なお、以下の符号については図２ないし図４を適宜参照）。
連結部材４０は、複数の板状パネル１２の端部領域を互いに突き当たるように集結させた際、上述した溝部３０が集結して形成された貫通孔を埋めるように挿入され、その溝部の内面と係合される部材である。
この連結部材４０は、複数の板状パネルのうち、一方のパネルの一方凸部及び他方凸部に形成された溝部の開口と、その一方のパネルに連結しようとする他方のパネルの一方凸部及び他方凸部に形成された溝部の開口とを対向させたと仮想した状態における、これら溝部で画される空間に対応した太さを有する棒状体である。例えば、図９の場合、連結部材４０は、一方のパネル１２−２の一方凸部２２−２及び他方凸部２４−２に形成された溝部３０の開口と、この一方のパネル１２−２に並べて配置された他方のパネル１２−４の一方凸部２２−４及び他方凸部２４−４に形成された溝部３０の開口とを対向させた状態における、これら溝部で画される空間ＨＯＡに対応した断面を有している。換言すれば、本実施形態の連結部材４０は、図３の側面視において溝部３１及び溝部３２で画される空間に対応した断面を有している。
【００３３】
具体的には、連結部材４０は、図３の当該空間に対応した略四角形状の断面を有する真っ直ぐな棒状体であり、平行な２辺の寸法Ｈが板状パネル１２の厚みＤよりも小さく形成されている。また、棒状体の長さＬ４は、端面１２ａの長手方向Ｘの全寸法と同じ長さに形成されている。これにより、端面１２ａの一方凸部２２及び他方凸部２４に形成された溝部３１，３２に、連続して挿入できるようになっている。
なお、本実施形態の連結部材４０の断面形状は略四角形状とされているが、本発明の連結部材の形状はこれに限られるものではなく、複数の溝部で画される形状に対応すれば、その他の多角形或いは円形状であってもよい。
【００３４】
そして、本実施形態の連結部材４０には、次にような工夫が施されている。
すなわち、図４に示すように、複数の溝部で画される空間に円滑に挿入することができるように、片側先端が窄まっている。また、もう片方の先端には、ビス等のネジ類が挿入できるように、ネジ穴４４が形成されている。これにより、図１の平行斜線で示す領域に絵画やポスター等の印刷物を配置し、その四つ角にネジ類４２を挿入すれば、そのネジ類４２の頭部で印刷物を押さえて固定できる。
本実施形態の棚１０の構造は以上の通りであり、次に、この棚１０の組み立て方法について説明する。
【００３５】
〔棚１０の組み立て方法〕
図８は、図１の棚１０を構成する複数の板状パネルである第１ないし第４のパネル１２−１〜１２−４の端部領域を集中させようとしている図であり、図９は、第１・２・４のパネル１２−１・１２−２・１２−４の端部領域を集中させ、そこに第３のパネル１２−３と連結部材４０を組み込もうとしている図である。なお、これらの図で図１乃至図７と同一の符号を付した箇所は共通する構成である。また、以下の「一方凸部」「他方凸部」「溝部」「凸部領域」「空間領域」は、図２で説明した同じ名称のものと共通する構成である。
【００３６】
第１ないし第４のパネル１２−１〜１２−４を連結するには、第１ないし第４のパネル１２−１〜１２−４の端部領域（端面や凸部を含む先端領域）を一箇所に集中させた後に、棒状の連結部材４０を挿入するだけでよい。
すなわち、図８のように第１ないし第４のパネル１２−１〜１２−４を用意する。この際、第１ないし第４のパネル１２−１〜１２−４は同じ構成であるため、多数保管してあるパネルの中からどのパネルを選択してもよい。
次に、第１ないし第４のパネル１２−１〜１２−４の端部領域を互いに突き合わせるように集中させる。その集中させる順番は特に問わないが一例を説明すると以下の通りである。
【００３７】
先ず、図８及び図９に示すように、２枚のパネル、この場合、第２のパネル１２−２と第４のパネル１２−４とを同じ向きに並べて、互いの端部領域を突き合わる（ステップ１）。すなわち、第２及び第４のパネルの各一方凸部２２−２，２２−４の先端を、第２及び第４のパネルの各他方の領域Ｅ２の夫々に突き当て、第２及び第４のパネルの各他方凸部２４−２，２４−４の先端を、第２及び第４のパネルの各一方の領域Ｅ１の夫々に突き当てる。
ところで、例えば図７の場合は、特定の板状パネルを基準にして、その特定の板状パネルの端部領域に突き合わせようとする別の板状パネルを回転ないし反転させて、初めて突き合わせが可能となる。ところが、本実施形態の板状パネルは、図２に示すように、両端面の一方１２ａと他方１２ｂとは、当該端面の長手方向を軸周りに１８０度回転させて視認した際、同様の構成となるように形成されている。このため、第２のパネル１２−２と第４のパネル１２−４とを同じ向きに並べさえすれば、図８及び図９に示すように、第２のパネル１２−２の端面１２b（図２の端面１２ｂと同じ構成）と第４のパネル１２−４の端面１２ａ（図２の端面１２ａと同じ構成）とを対向させて、端部領域の容易な突き合わせが可能となる。
そして、このように主面を並べて端部領域を突き合わせると、図９のように互いの端部領域が集中し、第２のパネルの一方凸部２２−２の溝部３０と第４のパネルの一方凸部２２−４の溝部３０、及び、第２のパネルの他方凸部２４−２の溝部３０と第４のパネルの他方凸部２４−４の溝部３０が夫々対向し、連結部材４０を挿入するための貫通孔ＨＯの一部空間ＨＯＡを形成する。また、第２のパネル１２−２の空間領域Ｖと第４のパネル１２−４の空間領域Ｖも集中ないし対向して、一つのまとまった空間になる。
【００３８】
次に、図９に示すように、複数の空間領域Ｖがまとまった空間に、第１のパネル１２−１の一方及び他方凸部２２−１，２４−１を差し入れる（ステップ２）。すなわち、第１のパネル１２−１と第２及び第４のパネル１２−２，１２−４との先端面どうしを沿わせるようにして、互いの主面が垂直となるように配置する。
【００３９】
次に、第３のパネル１２−３を第１のパネル１２−１と同じ向きにして、第３のパネルの端面１２ｂを第１のパネルの端面１２ａに突き当てる（ステップ３）。
そうすると、第３のパネルの一方凸部２２−３の先端は第２及び第４のパネルの空間領域Ｖを通って第１のパネルの他方の領域Ｅ２に突き当たり、また、他方凸部２４−３の先端は第２及び第４のパネルの空間領域Ｖを通って、第１のパネルの一方の領域Ｅ１に突き当たる。そして、第１のパネルの一方凸部２２−１の溝部３０と第３のパネルの一方凸部２２−３の溝部３０、及び第１のパネルの他方凸部２４−１の溝部３０と第３のパネルの他方凸部２４−３の溝部３０がそれぞれ対向して、連結部材４０を挿入するための貫通孔ＨＯの一部空間を形成すると共に、これが前記ステップ１で形成した一部空間ＨＯＡとつながって、貫通孔ＨＯが形成される。
【００４０】
次に、形成された貫通孔ＨＯに棒状体である連結部材４０を挿入する（ステップ４）。これにより、連結部材４０の外周面と各凸部２０の溝部３０の内壁とが係合して、連結部材４０と各パネル１２−１〜１２−４とが互いに係止する。
そして、各パネルは、連結部材４０を引き抜かない限り、図９のＸ，Ｙ，Ｚ方向のいずれの方向にも抜けなくなる。これを第１のパネル１２−１を代表例として図９を用いて説明すると以下の通りである。
すなわち、第１のパネル１２−１のＹ方向の移動について、凸部２２−１，２４−１の溝部３０の内面が連結部材４０の外周と係合するため規制される。また、Ｚ方向の移動については、凸部２２−１，２４−１が第２及び第４のパネル１２−２，１２−４の端面と当接するため規制される。また、Ｘ方向の移動については、凸部２２−１，２４−１が第２及び第４のパネル１２−２，１２−４の凸部２０と当接するため規制される。
なお、このようなパネルの移動規制は、例えば図１の最上段の板状パネル１２−７にも発揮される。すなわち、Ｙ方向の移動は上記第１のパネルと同様に、連結部材４０と溝部との係合で規制され、Ｘ方向の移動は、水平方向に隣接する他のパネルの凸部同士の係合で規制される。また、Ｚ方向の下側の移動については、パネル１２−７の凸部がパネル１２−１の端面に当接して規制され、Ｚ方向の上側の移動については、一方凸部或いは他方凸部のいずれかが連結部材に当接して規制される。
【００４１】
なお、以上のステップ１〜ステップ４の組み立て方法は、理解の便宜のために、組立て手順を分けて説明した一例であり、板状パネルの方向性に気を配る必要性が少ないことなどから、第１ないし第４のパネル１２−１〜１２−４の端部領域を略同時に突き合わせて、より簡単に組み立てることができる。
そして、以上のような複数の板状パネルの端部領域の連結を、第１ないし第４のパネル１２−１〜１２−４の連結していない端面側についても行い、連続して好きなだけ複数の板状パネルを組み合わせることができる。
【００４２】
本発明の実施形態の組立て式構造体は以上のように構成され、少ない部材の種類（板状パネルと連結部材）により構造体を組立て、しかも、板状パネルの方向性に気を配る必要性も少ないため、容易な組立てが可能となる。また部材の種類が少ないため、その保管も容易である。さらに、板状パネルの端部領域を順次組み合わせて大きさを自由に変えられる。しかも、構造体を解体した後は、薄い板状と棒状の部材だけなので、保管スペースも小さくできる。
【００４３】
なお、本発明は、上記実施形態に限定されるものではない。
例えば、本発明の組立て式構造体は、図１に示される棚に限られるものではなく、板状パネルの幅を小さくして、図１の平行斜線で示す展示用のパネル等を取り付けるためだめの展示用什器として使用されてもよい。また、４枚のパネルで図１のような枠状体ＦＲのみを形成し、板状の側面を床に載置するようにしてテーブル台にしてもよい。
また、上記実施形態では、板状の長手方向の両端面に凸部を設けたが、短手方向の両端面に凸部を設けても勿論よい。あるいは、板状の長手方向の片側の端面と短手方向の片側の端面に凸部を設けてもよい。
【符号の説明】
【００４４】
１０・・・組立て式構造体（棚）、１２，１２−１，１２−２，１２−３，１２−４・・・板状パネル、１２ａ，１２ｂ・・・端面、２０・・・凸部、２２，２２−１，２２−２，２２−３，２２−４・・・一方凸部、２４，２４−１，２４−２，２４−３，２４−４・・・他方凸部、３０・・・溝部、４０・・・連結部材、ＨＯ・・・貫通孔、Ｅ１・・・一方の領域、Ｅ２・・・他方の領域、Ｔ・・・凸部領域、Ｖ・・・空間領域
【図１】
0005460345.tif 000002
【図２】
0005460345.tif 000003
【図３】
0005460345.tif 000004
【図４】
0005460345.tif 000005
【図５】
0005460345.tif 000006
【図６】
0005460345.tif 000007
【図７】
0005460345.tif 000008
【図８】
0005460345.tif 000009
【図９】
0005460345.tif 000010
【図１０】
0005460345.tif 000011